(57)【要約】【課題】  所定の光学素子が他の光学素子に対し、光軸方向に移動可能となされた光学ユニットにおいて、光学素子の所定の部分の部品精度を確保するだけで調芯工程を不要として、組み付けるという単純な工程で高精度のユニットを得、これにより低コストの光学ユニットを得る。【解決手段】  複数の光学素子のうち、少なくとも一つの光学素子の外周又は光学素子を保持する受け部の、何れか一方を光軸に対して傾斜した傾斜面に形成した光学ユニットとする。【選択図】        図２
2006154201.tif 000002
【特許請求の範囲】
【請求項１】
複数の光学素子を有し、所定の光学素子が他の光学素子に対し、光軸方向に移動可能となされた光学ユニットであって、
前記複数の光学素子のうち、少なくとも一つの光学素子の外周又は該光学素子を保持する受け部の、何れか一方を光軸に対して傾斜した傾斜面に形成したことを特徴とする光学ユニット。
【請求項２】
前記傾斜面と光軸とのなす角をθとしたとき、
３０≦θ≦６０（°）
を満足するよう形成したことを特徴とする請求項１に記載の光学ユニット。
【請求項３】
前記光学ユニットは、第１のレンズと、前記第１のレンズを保持する第１レンズ受け部と、第２のレンズと、前記第２のレンズを保持する第２レンズ受け部とを有し、
前記第１レンズ受け部の中心と前記第２レンズ受け部の中心のシフト量は、０．１５ｍｍ以内に構成されると共に、
前記第１のレンズ及び前記第２のレンズの合成された波面収差が０．０５λｒｍｓ以内に形成されていることを特徴とする請求項１又は２に記載の光学ユニット。
【請求項４】
前記光学ユニットは、コリメータであることを特徴とする請求項１〜３のいずれか１項に記載の光学ユニット。
【請求項５】
光源から入射した光が前記第１のレンズと前記第２のレンズにより平行光で出射するときの、前記第１のレンズと前記第２のレンズの間隔をｄとしたとき、
０．５≦ｄ≦３．０（ｍｍ）
を満足するよう設定されていることを特徴とする請求項４に記載の光学ユニット。
【請求項６】
前記光学ユニットは、ビームエキスパンダであることを特徴とする請求項１〜３のいずれか１項に記載の光学ユニット。
【請求項７】
前記光学ユニットに平行光が入射し平行光が出射するときの、前記第１のレンズと前記第２のレンズの間隔をＤとし、出射ビームウェスト径を入射ビームウェスト径で除したビームウェスト径の倍率をＭとすると、
０．５≦Ｄ≦３．０（ｍｍ）
１．１５≦Ｍ≦１．３５
を満足するよう設定されていることを特徴とする請求項６に記載の光学ユニット。
【請求項８】
請求項１〜７のいずれか１項に記載の光学ユニットを備えたことを特徴とする光ヘッド装置。
【発明の詳細な説明】
【技術分野】
【０００１】
本発明は、光ディスク等の光記録媒体用の記録装置や再生装置等に用いる光ヘッド装置内に備えられる光学ユニットに関するものである。
【背景技術】
【０００２】
従来より、ＣＤ（コンパクトディスク）、ＤＶＤ（デジタルバーサタイルディスク）等の光記録媒体（以下、光ディスクとも称す）の、記録・再生のための光ヘッド装置が知られている。
【０００３】
これら光ヘッド装置には、所定の波長のレーザ光を発するレーザ光源とディスクから反射された光を受光する受光素子、ビームスプリッタ、コリメータレンズ、対物レンズを備えたものや、コリメータレンズと対物レンズの間にビームエキスパンダを備えたものが知られている。
【０００４】
また、光ヘッド装置の環境、即ち温度、湿度等による対物レンズの変化に対応してコリメータレンズを構成しているレンズを移動させて補正するものや、ビームエキスパンダを構成しているレンズを移動させて補正するものが知られている。
【０００５】
光ヘッド装置を構成する各光学素子は、各々がそれぞれの仕様に対応した軸合わせを要求されるものであり、これに対応するものとして、レンズを枠に固定する際に、既に固定されている他のレンズの光軸に対して調整をおこなって固定する所謂調芯を行うものと、レンズの光学有効面以外の部位の形状を利用して、組み込み時に相互の光軸を所定の誤差内に収めようとするものがある。
【０００６】
前者のものとして、軸合わせ用の位置決めマークを位相制御素子と対物レンズに形成し、この位置決めマークを参照して位置調整した後、ホルダに固定するものがある（例えば、特許文献１参照）。
【０００７】
また、後者のものとして、凸レンズと色収差補正光学素子で構成された光ヘッド用対物レンズに関し、双方に略同一の傾斜面を設け、この傾斜面同士を接合して芯出しを行い、固定する対物レンズがある（例えば、特許文献２参照）。
【特許文献１】特開２００１−６２０３号公報
【特許文献２】特開２００４−１９８９０３号公報
【発明の開示】
【発明が解決しようとする課題】
【０００８】
しかしながら、上記の特許文献１に記載のものは、調芯工程を有するため工数増となりコストアップが避けられない。
【０００９】
また、上記の特許文献２に記載のものは、一方に他方の光学素子を組み込むだけで、単純な工程で軸合わせができ、低コスト化できるものであるが、光学素子の接合面である傾斜面の形状を双方共に正確に形成する必要がある。即ち、双方の傾斜角度、双方の傾斜面の内外径の寸法精度、双方の光学素子の傾斜面と光軸との位置関係を正確に形成する必要がある。
【００１０】
例えば、一方の傾斜角度或いは一方の傾斜面の内外径の寸法精度が所望の精度で形成されていない場合、双方の光軸方向の間隔に影響を与えることになる。また、間隔を規定するために光軸方向に突き当て面を形成した場合には、内側に挿入される光学素子の径が小さいと突き当て後に光軸直交方向にシフト可能な隙間を有することになり、径が大きいと突き当て面まで挿入できないことになる欠点がある。
【００１１】
また、特許文献１及び２に記載のものは、双方の光学素子が固定され、レンズ群として機能するものであり、一方が可動するものに適用するには困難が伴うものである。
【００１２】
本発明は上記問題に鑑み、所定の光学素子が他の光学素子に対し、光軸方向に移動可能となされた光学ユニットにおいて、光学素子の所定の部分の部品精度を確保するだけで調芯工程を不要として、組み付けるという単純な工程で高精度のユニットを得、これにより低コストの光学ユニットを得ることを目的とするものである。
【課題を解決するための手段】
【００１３】
上記の目的は、以下の構成により達成される。
【００１４】
１）複数の光学素子を有し、所定の光学素子が他の光学素子に対し、光軸方向に移動可能となされた光学ユニットであって、前記複数の光学素子のうち、少なくとも一つの光学素子の外周又は該光学素子を保持する受け部の、何れか一方を光軸に対して傾斜した傾斜面に形成したことを特徴とする光学ユニット。
【００１５】
２）前記傾斜面と光軸とのなす角をθとしたとき、
３０≦θ≦６０（°）
を満足するよう形成した１）の光学ユニット。
【００１６】
３）前記光学ユニットは、第１のレンズと、前記第１のレンズを保持する第１レンズ受け部と、第２のレンズと、前記第２のレンズを保持する第２レンズ受け部とを有し、前記第１レンズ受け部の中心と前記第２レンズ受け部の中心のシフト量は、０．１５ｍｍ以内に構成されると共に、前記第１のレンズ及び前記第２のレンズの合成された波面収差が０．０５λｒｍｓ以内に形成されている１）又は２）の光学ユニット。
【００１７】
４）前記光学ユニットは、コリメータである１）〜３）のいずれかの光学ユニット。
【００１８】
５）光源から入射した光が前記第１のレンズと前記第２のレンズにより平行光で出射するときの、前記第１のレンズと前記第２のレンズの間隔をｄとしたとき、
０．５≦ｄ≦３．０（ｍｍ）
を満足するよう設定されている４）の光学ユニット。
【００１９】
６）前記光学ユニットは、ビームエキスパンダである１）〜３）のいずれかの光学ユニット。
【００２０】
７）前記光学ユニットに平行光が入射し平行光が出射するときの、前記第１のレンズと前記第２のレンズの間隔をＤとし、出射ビームウェスト径を入射ビームウェスト径で除したビームウェスト径の倍率をＭとすると、
０．５≦Ｄ≦３．０（ｍｍ）
１．１５≦Ｍ≦１．３５
を満足するよう設定されている６）の光学ユニット。
【００２１】
８）１）〜７）のいずれかの光学ユニットを備えた光ヘッド装置。
【発明の効果】
【００２２】
上記１）〜３）のいずれかの発明によれば、光学素子の所定の部分の部品精度を確保するだけで調芯工程を不要として、組み付けるという単純な工程で高精度のユニットを得ることができ、これにより低コストの光学ユニットを得ることが可能となる。
【００２３】
上記４）又は５）の発明によれば、単純な組み込みだけで調芯を行わずとも、所望の性能を有するコリメータを有した光学ユニットが得られる。
【００２４】
上記６）又は７）の発明によれば、単純な組み込みだけで調芯を行わずとも、所望の性能を有するビームエキスパンダを有した光学ユニットが得られる。
【００２５】
上記８）の発明によれば、上述の効果を有する光学ユニットを備えた光ヘッド装置を得ることができる。
【発明を実施するための最良の形態】
【００２６】
以下、実施の形態により本発明を詳しく説明するが、本発明はこれに限定されるものではない。
【００２７】
（第１の実施の形態）
以下、第１の実施の形態に係る光学ユニット及び光ヘッド装置について説明する。
【００２８】
図１は、第１の実施の形態に係る光ヘッド装置１００の構成の一例を示す図である。同図に示す光ヘッド装置１００は、本実施の形態に係る後述の光学ユニットをコリメータに用いた場合の概略構成を示している。
【００２９】
同図において、１０は半導体レーザ、１１は偏光ビームスプリッタ、１２は１／４波長板、５０はコリメータレンズ群である。コリメータレンズ群５０は、光学素子であるレンズ１３とレンズ１４で構成され、一方のレンズが光軸Ｏ方向に移動可能となされている。１５は対物レンズ、１６は光ディスクである。光ディスク１６は、透明樹脂層１６ｊと記録面１６ｋを有する記録層で構成されている。１７はシリンドリカルレンズを含むレンズ群、１８は四分割された受光部を持つ光検出器である。
【００３０】
光源である半導体レーザ１０から出射された光は、光分離手段としての偏光ビームスプリッタ１１をＰ偏光光が透過し、１／４波長板１２で直線偏光から円偏光に変換された後、コリメータレンズ群５０により平行光化され、対物レンズ１５により光ディスク１６の記録層１６ｋ上に光スポットとして結像する。
【００３１】
一方、光ディスク１６の記録面１６ｋで反射された光は、対物レンズ１５、コリメータレンズ群５０を透過した後、１／４波長板１２で円偏光から直線偏光に変換され、偏光ビームスプリッタ１１でＳ偏光光が反射され、レンズ群１７を経て光検出器１８に入射するよう構成され、この光検出器１８の出力を評価し対物レンズ１５の位置が制御されるようになっている。
【００３２】
光源である半導体レーザ１０については、透明樹脂層１６ｊの厚みが１．２ｍｍのＣＤの場合には波長７８０ｎｍ、透明樹脂層１６ｊの厚みが０．６ｍｍのＤＶＤの場合には波長６５０ｎｍの半導体レーザが用いられる。また近年商品化されつつある、より記録容量の増加されたＨＤ  ＤＶＤ（ハイディフィニション  デジタルバーサタイルディスク）やＢＤ（ブルーレイディスク）等には、それぞれに対応した青紫色の半導体レーザが用いられる。
【００３３】
なお、同図に示す光ヘッド装置は、一例を示したものであり、各種の変形が可能であると共に、上述の複数の光ディスクに対応可能な互換型光ヘッド装置であってもよい。
【００３４】
以上のように構成された、光ヘッド装置１００の対物レンズ１５は、設置された環境での温度や湿度及び光ヘッド装置１００の駆動時に発する熱等により、微小な形状変化や屈折率の変化を生じ、３次の球面収差を発生させる場合がある。この対物レンズ１５に発生する３次の球面収差を補正するため、コリメータレンズ群５０を構成するレンズ１３は、移動可能に構成されている。
【００３５】
以下に、コリメータレンズ群５０を構成しているレンズの移動機構について説明する。
【００３６】
図２は、コリメータレンズ群５０を保持すると共に、コリメータレンズ群５０の内の所定のレンズを移動可能とした光学ユニット１５０の断面の一例を示した図である。なお、以下の図においては、説明の重複をさけ、同機能部材には同符号を付与して説明する。
【００３７】
同図に示すように、光学ユニット１５０は、ベース部材５１に各部材が組み付けられている。ベース部材５１には、コリメータレンズ群５０を構成するレンズ１４が嵌合して組み付けられると共に、圧電素子５２及び圧電素子５２の端面に接続されたガイド軸５３が組み付けられている。
【００３８】
圧電素子５２は、積層圧電セラミックス等によって構成され、接続線５２ａ、５２ｂからの電圧の印加により、光軸Ｏの方向に伸縮動作を行う電動のアクチュエータとして機能する。即ち、ガイド軸５３は圧電素子５２の伸縮動作により、その長手方向である光軸Ｏ方向に加振されることになる。
【００３９】
ガイド軸５３には、スライダ５４が組み付けられている。このスライダ５４は、摩擦部材５４ａ及び摩擦部材５４ａをガイド軸５３に押圧するバネ５４ｂが組み付けられ、ガイド軸５３との接触面で一定の摩擦力が生じるようになっている。５５はガイド軸であり、スライダ５４の回転止めとしての機能を持ち、紙面表裏方向ではスライダ５４と嵌合されている。これにより、スライダ５４は、ガイド軸５３、５５に沿って、光軸Ｏ方向に移動可能となっている。
【００４０】
また、スライダ５４には、コリメータレンズ群５０を構成するレンズ１３が組み付けられている。レンズ１３のスライダ５４への組み付けについては後述する。
【００４１】
このような構成の光学ユニット１５０において、ガイド軸５３に対して、圧電素子５２が停止又は緩やかな伸縮動作を行う場合には、スライダ５４に対し摩擦力以上の力が作用しないため、ガイド軸５３に対するスライダ５４の位置は変化しない。これに対し、圧電素子５２が瞬時に伸縮動作を行う場合には、スライダ５４に対し摩擦力以上の慣性力が作用するため、ガイド軸５３に対するスライダ５４の位置は圧電素子５２の伸縮方向とは逆方向に移動することとなる。これにより、レンズ１３をレンズ１４に対して移動させることができ、レンズ１３とレンズ１４の間隔を変化させることができるようになっている。
【００４２】
また、スライダ５４の位置の検知は、スライダ５４に磁石５６が固着され、ホール素子５７により検出するようになっている。スライダ５４の光軸Ｏ方向への変位に伴い、磁石５６も変位し、この変位はホール素子５７の出力を演算することにより得ることができる。これにより、レンズ１３の位置を知ることができ、レンズ１３とレンズ１４の間隔を所望の間隔に制御できる。
【００４３】
なお、この磁石５６とホール素子５７の配置は、本例ではガイド軸５５側に配置したが、ガイド軸５３側に配置してもよい。また、公知のその他の位置検知手段を用いてもよい。
【００４４】
このように、コリメータレンズ群５０を構成するレンズ１３とレンズ１４の間隔を変化させることで、光ヘッド装置１００の設置された環境での温度や湿度及び光ヘッド装置１００の駆動時に発する熱等により、対物レンズ１５に発生した３次の球面収差を補正することができるようになる。
【００４５】
以下に、レンズ１３のスライダ５４への組み付けについて説明する。
【００４６】
図３は、図２に示したスライダ５４に形成されるレンズ１３の受け部と、レンズ１３の形状の一例を示す拡大部分断面図である。
【００４７】
同図に示すように、スライダ５４に形成されたレンズ１３の受け部５４ｓは、傾斜面を有し、すり鉢状に形成されている。またレンズ１３の外形は、円筒状となっている。
【００４８】
このように形成された傾斜面を有する受け部５４ｓに、レンズ１３を載置し、上方から弾性部材で軽く押圧することで、レンズ１３の円周状の周縁部が受け部５４ｓの傾斜面と一致する位置で安定した状態となる。これにより、受け部５４ｓの芯とレンズ１３の光軸Ｏをほぼ一致させることができる。この状態で、図示のように接着剤Ｂにより、受け部５４ｓとレンズ１３は固着される。
【００４９】
なお、弾性部材で押圧するのではなく、図示紙面下側の開口部５４ｋから空気を吸引して、レンズ１３の円周状の周縁部を、受け部５４ｓの傾斜面と一致させ、安定させてもよい。
【００５０】
図４は、図２に示したスライダ５４に形成されるレンズ１３の受け部と、レンズ１３の形状のその他の例を示す拡大部分断面図である。本例は、レンズ１３側に傾斜面を形成した例である。
【００５１】
同図に示すように、レンズ１３の外周は、傾斜面を有した円錐台形状に形成されている。またスライダ５４に形成されたレンズ１３の受け部は丸穴状で、階段状に形成されている。
【００５２】
このように形成された丸穴状の周縁部５４ｆに、レンズ１３を載置し、上方から弾性部材で軽く押圧することで、レンズ１３外周の傾斜面が周縁部５４ｆと一致する位置で安定した状態となる。これにより、周縁部５４ｆの芯とレンズ１３の光軸Ｏをほぼ一致させることができる。この状態で、図示のように接着剤Ｂにより、周縁部５４ｆとレンズ１３は固着される。
【００５３】
この場合も、上述の図示紙面下側の開口部５４ｋから空気を吸引する方法も適用可能である。
【００５４】
更に、上記の図３及び図４における、傾斜面と光軸Ｏとのなす角θは、
３０≦θ≦６０（°）
を満足するよう形成されていることが好ましい。この範囲を外れ、例えば、６０°を越えて形成されていると、押圧や吸引によりレンズ１３が傾斜面に押しつけられたとき、応力が残留して変形の原因となり、光学有効面であるレンズ面形状に影響を与え、好ましくない。また３０°を下回って形成されている場合には、レンズが動きやすくなり、安定性に欠け、軸合わせが困難となる。
【００５５】
以上説明したように、光学素子の外周又は光学素子を保持する受け部の、何れか一方を光軸に対して傾斜した傾斜面に形成し、この傾斜面と他方の周縁部を一致させることにより、受け部に光学素子を組込むだけで、がたつきのない安定状態とでき、受け部の芯と光学素子の光軸を合わせることができる。
【００５６】
即ち、受け部に傾斜面を形成した場合には、傾斜面の芯の位置と、光学素子の光学有効面の光軸と外周形状の位置精度（外周に対する光軸のシフト量）を精度良く形成するのみでよく、また、光学素子外周に傾斜面を形成した場合には、受け面の芯の位置と、光学素子の光学有効面の光軸と傾斜面部の位置精度（傾斜面に対する光軸のシフト量）を精度良く形成するのみで、がたつき無く受け部の芯と光学素子の光軸を合わせることができるようになる。これにより、光学素子の所定の部分の部品精度を確保するだけで調芯工程を不要として、組み付けるという単純な工程で、所望のユニット精度の得られる低コストの光学ユニットを得ることが可能となる。
【００５７】
さらに、上記のような傾斜面を形成することにより、接着剤の光学有効面への回り込みを解消できるという副次的効果をも奏するものである。
【００５８】
また、図２に示した光学ユニットの構成において、レンズ１３の受け部の中心とレンズ１４の受け部の中心の、光軸に直交する方向の機械的なずれ量（シフト量）が０．１５ｍｍ以内に構成され、レンズ１３とレンズ１４の合成された波面収差が０．０５λｒｍｓ（ｒｏｏｔ  ｍｅａｎ  ｓｑｕａｒｅ）以内に設計及び形成されていることが好ましく、このようにすることで、上述の組み込みだけで調芯を行わずとも所望の性能を有するコリメータとすることができる。更に、レンズ１３とレンズ１４の合成された波面収差が０．０３λｒｍｓ以内に形成されているとより好ましく、充分な性能を有するコリメータとすることができる。
【００５９】
加えて、レンズ１３とレンズ１４を、シフトに対する収差変動が少ないよう設計及び形成され、少なくとも一方は、単体でも球面収差を除く波面収差が、０．０３λｒｍｓ以内となるように設計及び形成されていると、より好ましく、光軸に直交する方向の機械的なずれの許容範囲をより広いものとすることができる。
【００６０】
更に、光源から発せられたレーザ光がレンズ１３とレンズ１４により平行光で出射するときの、レンズ１３とレンズ１４の間隔をｄとしたとき、
０．５≦ｄ≦３．０（ｍｍ）
を満足するよう設定されていることが好ましく、このように設定することでコリメータ光学ユニットを小型化でき、光ヘッド装置を小型とすることができる。なお、ｄは１〜２．５ｍｍに設定するとより好ましく、シフトに対するレンズ群の許容範囲を広げつつ、ユニットの小型化を両立させたコリメータ光学ユニットとすることができる。
【００６１】
なお、上記の説明では、レンズ１３を移動させ、レンズ１４を固定した構成の光学ユニットで説明したが、逆にレンズ１３を固定して、レンズ１４を移動させるような構成の光学ユニットとしてもよいのは勿論である。
【００６２】
更に、レンズ１４を嵌合して固定し、レンズ１３の外周又は保持する受け部の、何れか一方を傾斜面に形成した例で説明したが、両方のレンズとも外周又は保持する受け部の、何れか一方を傾斜面に形成して、上記と同様に組み付けるようにしてもよいのは勿論である。
【００６３】
（第２の実施の形態）
次いで、第２の実施の形態に係る光ヘッド装置について説明する。
【００６４】
図５は、第２の実施の形態に係る光ヘッド装置２００の構成の一例を示す図である。同図に示す光ヘッド装置２００は、本実施の形態に係る後述の光学ユニットをビームエキスパンダとして用いた場合の概略構成を示している。なお、以下の図において、説明の重複を避け、図１と同機能部材には同符号を付与して説明する。
【００６５】
同図において、光源である半導体レーザ１０から出射された光は、光分離手段としての偏光ビームスプリッタ１１をＰ偏光光が透過し、１／４波長板１２で直線偏光から円偏光に変換された後、コリメータレンズ２２により平行光化され、ビームエキスパンダを構成するビームエキスパンダレンズ群６０に入射し、ビームウェスト径が変換された後、対物レンズ１５により光ディスク１６の記録面１６ｋ上に光スポットとして結像する。ビームエキスパンダレンズ群６０はレンズ２３とレンズ２４で構成され、一方のレンズが光軸Ｏ方向に移動可能となされている。
【００６６】
一方、光ディスク１６の記録面１６ｋで反射された光は、対物レンズ１５を透過した後、ビームエキスパンダレンズ群６０に入射し、ビームウェスト径が変換され、コリメータレンズ２２を経た後、１／４波長板１２で円偏光から直線偏光に変換され、偏光ビームスプリッタ１１でＳ偏光光が反射され、レンズ群１７を経て光検出器１８に入射するよう構成され、この光検出器１８の出力を評価し対物レンズ１５の位置が制御されるようになっている。
【００６７】
光源である半導体レーザ１０については、図１での説明と同様である。
【００６８】
なお、同図に示す光ヘッド装置は、一例を示したものであり、各種の変形が可能であると共に、上述の複数の光ディスクに対応可能な互換型光ヘッド装置であってもよい。
【００６９】
以上のように構成された、光ヘッド装置２００の対物レンズ１５は、同様に、設置された環境での温度や湿度及び光ヘッド装置２００の駆動時に発する熱等により、微小な形状変化や屈折率の変化を生じ、３次の球面収差を発生させる場合がある。この対物レンズ１５に発生する３次の球面収差を補正するため、ビームエキスパンダレンズ群６０を構成するレンズ２３は、移動可能に構成されている。
【００７０】
ビームエキスパンダレンズ群６０は、図示の如くアフォーカル系であり、この点で上記実施の形態１とは異なる仕様のレンズ２３とレンズ２４が用いられる。
【００７１】
しかし、ビームエキスパンダレンズ群６０を保持すると共に、ビームエキスパンダレンズ群６０の内の所定のレンズを移動可能とした光学ユニットについては、図２に示すものと全く同様の構成でよい。即ち、図２に示したレンズ１４を本例のレンズ２４と置き換え、レンズ１３を本例のレンズ２３と置き換えた光学ユニットを構成することで達成される。
【００７２】
また、図３及び図４に示した、スライダ５４に形成されるレンズの受け部の形状と、レンズの外周形状についても、全く同様の構成である。即ち、図３及び図４に示したレンズ１３を本例のレンズ２３と置き換えることで、上記実施の形態１と同様の効果が得られるものとなる。これにより図２〜図４で述べたのと同様に、光学素子の所定の部分の部品精度を確保するだけで調芯工程を不要として、組み付けるという単純な工程で、所望のユニット精度の得られる低コストの光学ユニットを得ることが可能となる。
【００７３】
また、上記実施の形態１で述べたと同様に、光学ユニットの構成において、レンズ２３の受け部の中心とレンズ２４の受け部の中心の、光軸に直交する方向の機械的なずれ量（シフト量）が０．１５ｍｍ以内に構成され、レンズ２３とレンズ２４の合成された波面収差が０．０５λｒｍｓ以内に設計及び形成されていることが好ましく、このようにすることで、上述の組み込みだけで調芯を行わずとも所望の性能を有するビームエキスパンダとすることができる。更に、レンズ２３とレンズ２４の合成された波面収差が０．０３λｒｍｓ以内に形成されているとより好ましく、充分な性能を有するビームエキスパンダとすることができる。
【００７４】
加えて、レンズ２３とレンズ２４を、シフトに対する収差変動が少ないよう設計及び形成され、少なくとも一方は、単体でも球面収差を除く波面収差が、０．０３λｒｍｓ以内となるように設計及び形成されていると、より好ましく、光軸に直交する方向の機械的なずれの許容範囲をより広いものとすることができる。
【００７５】
また、ビームエキスパンダを構成する光学ユニットに平行光が入射し平行光が出射するときの、レンズ２３とレンズ２４の間隔をＤとし、出射ビームウェスト径を入射ビームウェスト径で除したビームウェスト径の倍率をＭとすると、
０．５≦Ｄ≦３．０（ｍｍ）
１．１５≦Ｍ≦１．３５
を満足するよう設定することが好ましく、このように設定することでビームエキスパンダ光学ユニットを小型化でき、光ヘッド装置を小型とすることができる。なお、Ｄは１〜２．５ｍｍに設定するとより好ましく、シフトに対するレンズ群の許容範囲を広くしつつ、ユニットの小型化を両立させたビームエキスパンダ光学ユニットとすることができる。
【００７６】
なお、同様に、本例のビームエキスパンダ光学ユニットにおいても、レンズ２３を移動させ、レンズ２４を固定した構成としてもよいし、レンズ２３を固定して、レンズ２４を移動させるような構成としてもよいのは勿論である。
【００７７】
更に、同様に、レンズ２３及びレンズ２４の両方のレンズについて、外周又は保持する受け部の、何れか一方を傾斜面に形成して、組み付けるようにしてもよいのは勿論である。
【図面の簡単な説明】
【００７８】
【図１】第１の実施の形態に係る光ヘッド装置の構成の一例を示す図である。
【図２】コリメータレンズ群を保持すると共に、コリメータレンズ群の内の所定のレンズを移動可能とした光学ユニットの断面の一例を示した図である。
【図３】図２に示したスライダに形成されるレンズの受け部と、レンズの形状の一例を示す拡大部分断面図である。
【図４】図２に示したスライダに形成されるレンズの受け部と、レンズの形状のその他の例を示す拡大部分断面図である。
【図５】第２の実施の形態に係る光ヘッド装置の構成の一例を示す図である。
【符号の説明】
【００７９】
１０  半導体レーザ
１１  偏光ビームスプリッタ
１２  １／４波長板
１５  対物レンズ
１６  光ディスク
１８  光検出器
５０  コリメータレンズ群
５１  ベース部材
５２  圧電素子
５３  ガイド軸
５４  スライダ
５５  ガイド軸
５６  磁石
５７  ホール素子
６０  ビームエキスパンダレンズ群
Ｂ  接着剤
【図１】
2006154201.tif 000003
【図２】
2006154201.tif 000004
【図３】
2006154201.tif 000005
【図４】
2006154201.tif 000006
【図５】
2006154201.tif 000007